(57)【特許請求の範囲】
【請求項１】
光硬化性樹脂を含有するジェルネイル剤を用いたネイル施術方法であって、
ベースジェルを塗布し、光照射により硬化させて、ネイルプレート上にベース層を形成するベース工程と、
カラージェル、または粉体もしくは微小片を含む混合ジェルを塗布し、光照射により硬化させて、前記ベース層の上にカラー層を形成するカラー工程と、
トップジェルを塗布し、光照射により硬化させて、前記カラー層の上にトップコート層を形成するトップ工程とを含み、
前記ネイルプレートは、爪甲そのもの、またはネイルチップを用いた場合の爪甲と爪甲に一体化させたネイルチップとによって形成された施術対象部であり、
前記ベース工程では、ベースジェルの塗布と硬化とを複数回にわたって行い、少なくとも１回目の塗布ではベースジェルをネイルプレートの爪元側から離間させて塗布し、
前記ベース層を、ネイルプレートの爪元側から離間させるとともに、ネイルプレートの長さの１／２よりも爪元寄りで最も盛り上がった山状に形成することを特徴とするネイル施術方法。
【請求項２】
請求項１に記載のネイル施術方法において、
前記ベース工程では、ベースジェルの１回目の塗布をネイルプレートの長さの１／２から爪先までの範囲とし、２回目以降の塗布で、先に硬化させたベースジェルに塗り重ねるとともに爪元から離間させて塗布し、ネイルプレートの爪元側に該ネイルプレートを露出させた状態で前記ベース層を形成することを特徴とするネイル施術方法。
【請求項３】
請求項１または２に記載のネイル施術方法において、
前記ベース工程では、２回目以降の塗布で、平面視形状が爪先側に尖った涙形状またはしずく形状にベースジェルをのせることを特徴とするネイル施術方法。
【請求項４】
請求項１〜３のいずれか一つの請求項に記載のネイル施術方法において、
前記トップ工程では、トップジェルの塗布と硬化とを複数回にわたって行い、前記トップコート層を、ネイルプレートの長さに対して、爪元側から１／４ないし１／２のところが最も盛り上がった山状に形成することを特徴とするネイル施術方法。
【請求項５】
請求項１〜４のいずれか一つの請求項に記載のネイル施術方法において、
前記トップ工程では、平面視形状が爪先側に尖った涙形状またはしずく形状にトップジェルをのせることを特徴とするネイル施術方法。
【請求項６】
請求項１〜５のいずれか一つの請求項に記載のネイル施術方法において、
前記ネイルプレートを、ネイルチップを用いて、被施術者自身の爪甲と爪甲に一体化させたネイルチップとによって形成するとき、
ネイルチップの幅方向の両側縁が、被施術者自身の爪甲のサイドラインの延長上に延びるように前記ネイルプレートを形成することを特徴とするネイル施術方法。
【請求項７】
請求項１〜６のいずれか一つの請求項に記載のネイル施術方法において、
以前に形成したトップコート層とカラー層とを除去するとともに、以前に形成したベース層をネイルプレート上に残し、
残したベース層およびネイルプレートの上に、前記ベース工程、カラー工程、およびトップ工程を施し、新たなベース層、カラー層、およびトップコート層を形成することを特徴とするネイル施術方法。
【発明の詳細な説明】
【技術分野】
【０００１】
本発明は、ネイル施術方法に係り、特にジェルネイル剤を用いたネイル施術方法に関する。
【背景技術】
【０００２】
手や足の爪を装飾する手法として、マニキュアのほか、光硬化性樹脂を含むネイル剤を用いたジェルネイルも広く知られている。このジェルネイルは、ジェル状のネイル剤を爪に塗り、光照射することによって硬化させ爪に一体化させるもので、マニキュア等のラッカーエナメルに比べて硬く、傷もつきにくい。そのため、ジェルネイルは光沢や発色を長期間保つことができ、爪の保護にも役立つうえ、美しくなった爪に満足感を得られることから、女性に好まれている。
【０００３】
例えば特許文献１、２に開示されるように、ジェルネイルの施術は、爪の表面や爪先の形状を整えた後、ベースジェル、カラージェル、トップジェルの順に各ネイル剤の塗布と硬化とを繰り返す。これらのネイル剤の塗布は、図１３に示すように、始めに爪１０１の幅方向の中央に塗布し、次いで左側、右側と、爪１０１の長さ方向に筆１０２を運んで、爪全体に薄く均一に塗布するのがジェルネイルの一般的な手順とされている。
【０００４】
また、ジェルネイルを爪１０１から除去するには、リムーバーを含浸させた脱脂綿をジェルネイルの上に置き、アルミホイルでリムーバーが蒸散しないように覆ったまま数分間放置する。その後、ジェルネイルが軟化したところで、ネイルスティック等を用いて爪１０１の表面からジェルネイルをこそぎ取り、またはマシンと呼ばれる切削器を用いて削り落として除去する。
【先行技術文献】
【特許文献】
【０００５】
【特許文献１】特開２０１３−２４４１４１号公報
【特許文献２】特開２０１５−１８９６６８号公報
【発明の概要】
【発明が解決しようとする課題】
【０００６】
前記のとおり、ジェルネイルの施術では、ネイル剤を筆１０２に取り、爪１０１の根元側から爪先側へと筆１０２を動かして爪全体に塗布するので、爪１０１の根元側により多くネイル剤がのりやすくなる。仕上がったジェルネイル１０４は、図１４に示すように、側方から見たときに爪の根元側１０３が盛り上がった形状となりやすく、不自然な印象を与えやすいという実情があった。このように仕上がると、爪が伸びてきたとき、図１５に示すように、伸びて根元側に露出した爪１０５と、ジェルネイル１０４の部分とに明確な段差ができて美しくなく、爪が浮き上がって見え、全体形状もいびつなものとなっていた。
【０００７】
また、施術後２〜３週の間には、爪先が折れたり割れたりしてしまうことも多い。割れ等のトラブルを生じ、または爪が伸びてきた場合にはジェルネイルを除去し、再び爪にジェルネイルを施術しなおす。前記のように、ジェルネイルは簡単には落とすことができず、除去するのに時間がかかるうえ、ジェルネイルと一緒に自分の爪も削り取り、さらに、新たなネイル剤を定着させるために爪の表面を粗くサンディングする。そのため、何度もジェルネイルを施術していると爪が薄くなってしまい、折れたり割れたりすることが避けられない、という問題点があった。また、リムーバーは高濃度にアセトンを含有し、一度で除去しきれない場合には再度リム−バーを使用して除去するので、爪や爪周りの皮膚を痛めやすいという問題点もあった。
【０００８】
本発明は、上記のような問題点にかんがみてなされたものであり、その目的とするところは、長期間にわたり良好な状態を保持することができ、繰り返し施術しても爪を薄くしたり痛めたりすることを回避でき、強度を有する美しいジェルネイルに仕上げることのできるネイル施術方法を提供することにある。
【課題を解決するための手段】
【０００９】
前記の目的を達成するための本発明の解決手段は、光硬化性樹脂を含有するジェルネイル剤を用いたネイル施術方法を前提とする。このネイル施術方法として、ベースジェルを塗布し、光照射により硬化させて、ネイルプレート上にベース層を形成するベース工程と、カラージェル、または粉体もしくは微小片を含む混合ジェルを塗布し、光照射により硬化させて、前記ベース層の上にカラー層を形成するカラー工程と、トップジェルを塗布し、光照射により硬化させて、前記カラー層の上にトップコート層を形成するトップ工程とを具備させる。前記ネイルプレートとは、爪甲そのもの、またはネイルチップを用いた場合の爪甲と爪甲に一体化させたネイルチップとによって形成された施術対象部をいい、前記ベース工程では、ベースジェルの塗布と硬化とを複数回にわたって行い、少なくとも１回目の塗布ではベースジェルをネイルプレートの爪元側から離間させて塗布し、前記ベース層を、ネイルプレートの爪元側から離間させるとともに、ネイルプレートの長さの１／２よりも爪元寄りで最も盛り上がった山状に形成する構成としている。
【００１０】
この特定事項により、山状に盛り上がった形状のベース層を下地として、ネイルデザインの主要部となるカラー層を、施術対象箇所のネイルプレート上に形成する。ベース層がネイルプレートの爪元側から離間していることにより、その上のカラー層およびトップコート層を、ネイルプレートの爪元側へとなだらかにつながる自然な曲面形状に形成することができる。また、ベースジェルを複数回にわたって塗布して、従来よりも厚みを有するベース層を形成するので、ジェルネイルの強度が高められ、割れ等のトラブルを生じにくくすることができ、長期間にわたって良好な状態を保つことが可能となる。
【００１１】
また、前記ネイル施術方法において、形成したジェルネイルを除去する場合には、以前に形成したトップコート層とカラー層とを除去するとともに、以前に形成したベース層をネイルプレート上に残し、この残したベース層およびネイルプレートの上に、前記ベース工程、カラー工程、およびトップ工程とを施して、新たなベース層、カラー層、およびトップコート層を形成することが好ましい。
【００１２】
これにより、除去時間を短縮化することが可能となり、繰り返してジェルネイルを施術する場合に、以前に施術したジェルネイルとともに自身の爪を削り取ったり、サンディングしたりして爪が薄くなるのを回避でき、爪や爪周りの皮膚を痛めるおそれを低減することができる。
【発明の効果】
【００１３】
本発明に係るネイル施術方法によれば、長期間にわたり美しい良好な状態を保持することができて満足度をより一層高め、強度を有するジェルネイルに仕上げることが可能となるうえ、繰り返し施術しても爪への負担が少なく、継続的にジェルネイルを楽しむことができる。
【図面の簡単な説明】
【００１４】
【図１】本発明の実施形態に係るネイル施術方法の一工程を示す説明図である。
【図２】図１の工程の次工程を示す説明図である。
【図３】図２の工程の次工程を示す説明図である。
【図４】前記ネイル施術方法のベース工程を順に示す説明図である。
【図５】図４（ｃ）の工程の次工程を示す説明図である。
【図６】前記ベース工程にて形成したベース層を示し、図６（ａ）は上面図、図６（ｂ）は指の横側から見た側面図、図６（ｃ）はその断面図である。
【図７】前記ネイル施術方法のカラー工程を示す説明図である。
【図８】前記ネイル施術方法のトップ工程を順に示す説明図である。
【図９】前記ネイル施術方法によるジェルネイルの仕上がりを示し、図９（ａ）は指の横側から見た側面図、図９（ｂ）は指の先端側から見た正面図、図９（ｃ）は断面図である。
【図１０】図９（ａ）の状態から爪が伸びた様子を示す側面図である。
【図１１】前記ネイル施術方法のリペア工程を示す説明図である。
【図１２】本発明の他の実施形態に係るネイル施術方法を示す説明図である。
【図１３】従来のネイル施術方法を示す説明図である。
【図１４】従来のネイル施術方法によるジェルネイルの仕上がりを示す側面図である。
【図１５】図１４の状態から爪が伸びた様子を示す側面図である。
【発明を実施するための形態】
【００１５】
本発明の実施形態に係るネイル施術方法について、図面を参照しつつ説明する。本実施形態では、手指の爪に本実施形態に係るネイル施術方法を行った場合について説明する。
【００１６】
（プレパレーション工程）
手や足の爪にジェルネイルを施すにあたり、まず始めに爪のケアを行い、爪の長さや形を整えるファイリング、およびサンディングを行う（プレパレーション工程）。
【００１７】
図１〜図３は、プレパレーション工程を示す説明図である。通常、被施術者自身の爪１をそのまま利用してジェルネイルを施すことが多いが、例えば爪１に長さが欲しいときなどには、プラスチック製のネイルチップ２を用いて理想の爪形状を作る。この場合、ネイルチップ２の端部裏に接着剤２１を塗布し、爪（爪甲）１の先端部に接着する。
【００１８】
このとき、図２に示すように、ネイルチップ２の幅方向の両側縁が、爪１の左右の際であるサイドラインの延長上に延びるように、ネイルチップ２を爪先側へ傾けることなく接着する。ネイルチップ２を接着した後、ネイルチップ２の先端側を切断して好みの長さにする。
【００１９】
次いで、図３に示すように、ファイルまたはエメリーボードと呼ばれる専用のヤスリを用いて長さや形状を整える。ネイルチップ２の幅方向の両側縁は、爪１の左右のサイドラインの延長上に延びるように整える。また、スポンジファイル等を用いて表面を滑らかに整える。これにより、爪１とネイルチップ２とを一体化させたネイルプレート３を形成する。ネイルプレート３のサイドラインは、被施術者自身の爪１のサイドラインの延長上に延びるように形成される。
【００２０】
なお、以下の説明において爪１とは、被施術者自身の手指または足指の「爪甲」をいい、ネイルプレート３とは、施術対象箇所となる部分であって、爪甲そのもの、またはネイルチップ２を用いた場合の爪甲と爪甲に一体化させたネイルチップ２とをいうものとする。
【００２１】
（ベース工程）
続いて、図４（ａ）〜図４（ｃ）に示すように、ネイルプレート３上にベースジェル４を塗布していく。ベースジェル４は、光硬化性樹脂を含有するジェルネイル剤であってクリアジェルとも呼ばれる。このベースジェル４をネイルプレート３に塗布して硬化させ、ベース層４０を形成する（ベース工程）。
【００２２】
ベース工程では、ベースジェル４の塗布と硬化とを複数回にわたって行う。図４（ａ）に示すように、ベースジェル４の１回目の塗布は、ネイルプレート３の長さの１／２から爪先（フリーエッジ）３２までの範囲に行う。
【００２３】
ここで、ネイルプレート３の長さとは、ネイルプレート３の爪元３１であってルースキューティクルの先端部（キューティクルライン）から、爪先（一体化させたネイルチップ２の先端部）３２までの長さをさすものとする。
【００２４】
かかる塗布作業は、ジェル用筆を用いてベースジェル４を筆先に取り、ネイルプレート３の幅方向の中央から塗り始め、左サイドおよび右サイドに順に塗る。その後、専用のＵＶライトまたはＬＥＤライトを用いて特定波長の光をネイルプレート３に照射し、ベースジェル４を硬化させる。
【００２５】
２回目のベースジェル４の塗布では、図４（ｂ）に示すように、先に硬化させたベースジェル４に、新たなベースジェル４を塗り重ねる。このとき、ベースジェル４の塗布範囲を、１回目の塗布範囲よりも爪元３１側に拡げるものの、爪元３１からは離間させて塗布する。また、筆に取ったベースジェル４を、既に塗布したベースジェル４の上に、平面視で爪先３２側に尖った涙形状またはしずく形状となるようにのせていく。ネイルプレート３の爪元３１側には、ネイルプレート３（爪１）を露出させた状態とする。この状態で光照射し、ベースジェル４を硬化させる。
【００２６】
次いで、図４（ｃ）に示すように、３回目以降のベースジェル４の塗布を、２回目と同様に、先に塗布し硬化させたベースジェル４に重ねるようにして行う。このときも、ベースジェル４の塗布範囲を、２回目の塗布範囲よりも爪元３１側に拡げるものの、ネイルプレート３の爪元３１からは離間させて塗布する。ベースジェル４の塗布後、光照射することにより、ベースジェル４を硬化させる。
【００２７】
その後、図５に示すように、手のひら側から、ジェル用筆７を用いて、ネイルプレート３の爪先裏部分にもベースジェル４を塗布し、硬化させる。これにより、ネイルプレート３の端縁部の表裏両面ともベースジェル４で被覆する。
【００２８】
このように、ベースジェル４を塗布し硬化させることで、図６（ａ）に示すように、ネイルプレート３上にベース層４０を形成することができる。用いるクリアジェルの種類にもよるが、ベース層４０はネイルプレート３上に、透明または半透明の樹脂層として形成される。また、図６（ｂ）および図６（ｃ）に示すように、ベース層４０を、ネイルプレート３の爪元３１から離間させて形成するとともに、ネイルプレート３の長さの１／２よりも爪元３１寄りの位置が、最も盛り上がった山を有する形状に形成している。
【００２９】
なお、ベース工程でのベースジェル４の塗布回数は、３回であるに限らず、図６（ｃ）に示すような山状のベース層４０を形成することができれば、２回で塗布を終了させても、また４回以上塗布してもよい。ベースジェル４を涙形状またはしずく形状となるようにのせる工程も、２回目の塗布で行うに限られず、３回目以降の塗布で行ってもよい。
【００３０】
（カラー工程）
次いで、ベース層４０の上にカラージェル５を塗布して硬化させ、カラー層５０を形成する（カラー工程）。この工程では、ジェルネイルのデザインの主要部分となる、色彩を有するカラー層５０を形成する。カラー層５０は、カラージェル５の塗布と硬化とを、少なくとも２回にわたって行う。
【００３１】
塗布作業はジェル用筆を用いてカラージェル５を筆先に取り、ネイルプレート３の幅方向の中央から順に塗り、左サイドおよび右サイドに塗る。例えば、カラージェル５をベース層４０の上にほぼ均一に塗布し、ベース層４０の上に色彩を施す方法がある。また、図７に示すように、ネイルプレート３の爪先３２側へ徐々に色が濃くなるグラデーションのデザインとしてもよい。また、単色のカラージェル５を用いるだけでなく、複数種類のカラージェル５を用いて多様な模様やデザインを描きアートを施すこともできる。
【００３２】
なお、カラー層５０として塗布するジェルネイル剤は、カラージェル５だけに限られず、ラメやグリッター等の粉体もしくは微小片をクリアジェルに混ぜて形成した混合ジェルであってもよく、カラージェル５と混合ジェルとの両方を用いてもよい。また、カラージェル５等を用いたアートだけでなく、カラージェル５等を塗布した上に種々の装飾パーツを接着してアートを施してもよい。
【００３３】
（トップ工程）
次いで、カラー層５０の上にトップジェル６を塗布して硬化させ、トップコート層６０を形成する（トップ工程）。この工程では、トップジェル６の塗布と硬化とを複数回にわたって行う。
【００３４】
図８（ａ）に示すように、まず、カラー層５０を覆うようにトップジェル６を塗布する。トップジェル６は、ベースジェル４と同様のクリアジェルを用いることができる。トップジェル６の１回目の塗布は、ネイルプレート３の爪元３１からは離間させて塗布するとともに、カラー層５０の爪元側端部から爪先側端部までを覆うようにする。その後、ネイルプレート３に光照射し、トップジェル６を硬化させる。
【００３５】
さらに、トップジェル６の塗布と硬化とを２回以上行い、最終的に、図８（ｂ）に示すように、ネイルプレート３の爪元３１から爪先３２までをトップジェル６で覆い、トップコート層６０を形成する。また、２回目以降の塗布では、平面視形状が爪先３２側に尖った涙形状またはしずく形状にトップジェル６をのせることが好ましい。
【００３６】
これにより、図９（ａ）に示すように、ネイルプレート３の長さに対して、爪元３１から１／４ないし１／２のところにトップコート層６０の山６０ａを形成する。より好ましくは、トップコート層６０の山６０ａを、ネイルプレート３の長さに対して、爪元３１から３／８のところに形成することである。トップコート層６０の山６０ａから爪元３１までは、なだらかに繋がった曲面で形成される。また、図９（ｂ）に示すように、ネイルプレート３を爪先３２側（指の先端側）から見ると、ネイルプレート３の幅方向の中央部に山６０ａが形成される。
【００３７】
このように、トップコート層６０を設けることによって、カラー層５０を保護するだけでなく、表面に十分な光沢を出すことができる。特に、図８（ａ）および図８（ｂ）に示すような形状にトップコート層６０を形成することによって、極めて高いつや感が得られて、立体的で自然な爪形状に形成することができる。
【００３８】
種々の装飾パーツ用いたアートを行った場合にも、トップジェル６で装飾パーツを覆うことによって、それらをネイルプレート３上に定着させ、滑らかな表面を形成することができる。なお、装飾パーツをトップジェル６で覆うと、最終的には、トップコート層６０の最も盛り上がった部分は装飾パーツの箇所となると考えられる。本実施形態で説明した山６０ａは、装飾パーツ等による盛り上がりを除くものとする。
【００３９】
（仕上げ工程）
トップコート層６０を形成した後、ネイルプレート３の爪先３２側や側部に、ファイル、エメリーボードまたはマシンと呼ばれる切削器をあてがい、形状を整える。また、ワイプに除去液を含浸させてトップコート層６０の表面を拭き取り、未硬化樹脂を除去する（仕上げ工程）。
【００４０】
ネイルプレート３上には、図９（ｃ）に示すように、ベース層４０、カラー層５０、およびトップコート層６０が積層して形成され、ジェルネイルが完成する。ネイルデザインの主要部となるカラー層５０の下地として、山状に盛り上がったベース層４０を、ネイルプレート３の爪元３１から離間させ、ネイルプレート３の長さの１／２よりもやや爪元３１寄りに山を有する形状に形成することができる。このため、図９（ａ）および図９（ｃ）に示したように、その上のカラー層５０およびトップコート層６０を、ネイルプレート３の爪元３１側へとなだらかにつながる自然な曲面形状に形成することができる。
【００４１】
また、ネイルプレート３の爪元３１側へとなだらかにつながる自然な曲面形状に形成したことによって、図１０に示すように、数週間経過して爪１が伸びてきたときにも、爪形状を比較的、自然な形状に見せることができる。特に、トップコート層６０の山６０ａを、ネイルプレート３の長さに対して、爪元３１から概ね３／８のところに形成していることで、ネイルプレート３の長さの１／２よりもやや爪元３１寄りに最も盛り上がった形状で仕上げられている。この状態から、例えば４週間程度経過すると、山６０ａは、ネイルプレート３の長さの中央付近に移動し、爪１が伸びても美しい自然な爪形状を保つことができるものとなる。
【００４２】
通常、爪１は、爪床（ネイルベッド）から離れないようにイエローラインと呼ばれる帯状の組織に支持されている。このイエローラインと、爪１の左右の際であるサイドラインとが接する箇所は、ストレスポイントとして負荷がかかりやすく、折損や割れなどのトラブルが生じやすい箇所とされている。
【００４３】
これに対して、前述の実施形態に係るネイル施術方法では、ネイルプレート３を、ネイルチップ２の幅方向の両側縁が、爪１の左右のサイドラインの延長上に延びるように整えている。また、ベースジェル４を複数回にわたって塗布し、従来よりも厚みを有するベース層４０を形成している。これらの構成により、爪１およびネイルプレート３の強度が格段に高められている。また、トップコート層６０を、爪元３１から１／４ないし１／２のところに山６０ａを有する形状であって従来よりも厚みを有するように形成している。これらの構成によって、家事や作業等でストレスポイントに負荷がかかっても折れたり割れたりすることが防がれ、長期間にわたって良好な状態を保つことが可能となる。
【００４４】
（リペア工程）
ネイルデザインを変更したい場合や、爪１が伸びてきた場合には、ジェルネイルを除去して新たにジェルネイルを施す。このような場合に、本実施形態では、図１１に２点鎖線にて示すように、以前に形成したベース層４０をネイルプレート３上に残すとともに、以前に形成したカラー層５０とカラー層５０の上部のトップコート層６０とを除去する。トップコート層６０はベース層４０と同様のクリアジェルであるので、ネイルプレート３に残してもよい。
【００４５】
これらの層の除去は、マシンと呼ばれる切削器やエメリーボード等を用いて行う。カラー層５０を除去することで、ベース層４０の一部もカラー層５０とともに削り取られることとなる。しかし、前記のとおり、ベース層４０は山状に厚みを有して形成されているので、切削器が爪１に接触することはなく、爪１が削られるおそれはほとんどない。また、高濃度にアセトンを含有するリム−バー類を使用しないので、爪や爪周りの皮膚を痛めるおそれもない。
【００４６】
カラー層５０を除去したことで、ネイルプレート３上には、以前のベース層４０およびトップコート層６０が薄く残る。この状態のネイルプレート３に対して、前記プレパレーション工程、ベース工程、カラー工程、およびトップ工程を行う（リペア工程）。これにより、新たなベース層、カラー層、およびトップコート層を形成することができる。
【００４７】
再び形成するベース層４０は、ネイルプレート３に以前のベース層４０が残った状態で形成されるので、リペア工程によって形成するジェルネイルを、さらに強度を増したものとすることができる。
【００４８】
以上のように、自身の爪１が薄くなる等の爪に負担をかけることなく、さらに強度を有するジェルネイルをネイルプレート３上に形成することができる。そのため、ジェルネイルを繰り返し施術することのデメリットが解消され、本実施形態に係るネイル施術方法を繰り返し実施することで、爪１の強度を高めていくことができ、健康な美しい爪の状態を保持することが可能となる。また、このように施したジェルネイルによって美しい光沢や色彩を長期間にわたって維持することができるので、美しい爪を見てうれしさが増幅し、満足度が格段に高められる。
【００４９】
前記実施形態では、グラデーションのネイルデザインの場合を示したが、ネイルプレート３の全体を彩色するネイルデザインとすることもできる。この場合、図１２に示すように、カラー工程において、まず始めにベース層４０の爪元側端部に、ベースジェル４ａを薄く塗布して硬化させることが好ましい。このベースジェル４ａによりベース層４０と同様の樹脂層をネイルプレート３の爪元３１の近傍まで延長させた状態にし、この上にカラー層５０を形成していく。このような施術方法によっても、ネイルプレート３の長さに対して、爪元から１／４ないし１／２のところにトップコート層６０の山６０ａを形成することができ、つや感が高められ、美しく自然な爪形状のジェルネイルを形成することができる。
【００５０】
なお、本発明に係るネイル施術方法は、被施術者自身の爪１およびネイルプレート３に前記各工程を施すに限らず、プラスチック製のネイルチップ等に施してもよく、これによって付け爪を形成し、爪１に接着させて用いられてもよい。また、ジェルネイルでのジェルネイル剤には硬さの異なるハードジェルとソフトジェルとがあるが、本発明方法では光硬化性樹脂を含有するジェルネイル剤であれば、どのようなジェルネイル剤を用いてもよい。また、本発明方法は、手指の爪１だけではなく、足指の爪に対しても同様に施術可能であることは言うまでもない。
【産業上の利用可能性】
【００５１】
本発明は、爪を装飾するジェルネイルの施術方法として好適に利用可能である。
【符号の説明】
【００５２】
１    爪
２    ネイルチップ
３    ネイルプレート
３１  爪元
３２  爪先
４    ベースジェル
４０  ベース層
５    カラージェル
５０  カラー層
６    トップジェル
６０  トップコート層
７    ジェル用筆
【要約】      （修正有）【課題】長期間にわたり美しい良好な状態を保持することができ、繰り返し施術しても爪を薄くしたり痛めたりすることを低減する。【解決手段】ネイル施術方法として、ネイルプレート３上にベース層４０を形成するベース工程と、ベース層４０の上にカラー層５０を形成するカラー工程と、カラー層５０の上にトップコート層６０を形成するトップ工程とを具備する。ベース工程では、ベースジェルの塗布と硬化とを複数回にわたって行う。このうち、少なくとも１回目の塗布ではベースジェルをネイルプレート３の爪元側から離間させて塗布する。そして、ベース層４０を、ネイルプレート３の爪元側から離間させるとともに、爪長さの１／２よりも爪元寄りで最も盛り上がった山状に形成する。【選択図】図１１【図１】
0006030784.tif 000002
【図２】
0006030784.tif 000003
【図３】
0006030784.tif 000004
【図４】
0006030784.tif 000005
【図５】
0006030784.tif 000006
【図６】
0006030784.tif 000007
【図７】
0006030784.tif 000008
【図８】
0006030784.tif 000009
【図９】
0006030784.tif 000010
【図１０】
0006030784.tif 000011
【図１１】
0006030784.tif 000012
【図１２】
0006030784.tif 000013
【図１３】
0006030784.tif 000014
【図１４】
0006030784.tif 000015
【図１５】
0006030784.tif 000016